(57)【要約】【課題】専用の自立装置を設けることなく遊技盤を自立可能とする。【解決手段】ケーシング３００は遊技盤ユニットＵの背面下部に固定され、内部に収容空間３３０を区画形成する。ケーシング３００は、基板保持面と底面部３２０ｄとを有し、基板保持面で基板４００を固定し、底面部３２０ｄに設けられた支持機構３７０で遊技盤ユニットＵを自立させる。支持機構３７０は、基板保持隔壁３４０ｂ、底面隔壁３７２、リブ３７４を含んで構成される。ケーシング３００に設けられた支持機構３７０と接地面５００とが接触することによって、遊技盤ユニットＵは自立可能となる。【選択図】図５
2014223226.tif 000002
【特許請求の範囲】
【請求項１】
遊技盤と、
前記遊技盤の背面下部に固定され、該遊技盤の背面に固定された部品を収容する収容空間を区画形成するとともに、該遊技盤から離隔した位置に基板を保持するケーシングと、
を備え、
前記ケーシングは、
前記基板を保持するとともに、前記遊技盤の背面に固定された状態で前記収容空間を隔てて該遊技盤の背面に対向配置される基板保持面と、
前記基板保持面から立設されるとともに、前記遊技盤の背面まで延在する底面部と、
を有し、
前記ケーシングの底面部に、前記遊技盤を自立させるための支持機構が設けられていることを特徴とする遊技機。
【請求項２】
前記基板には、外部と該基板との間で信号を送受信するケーブルが嵌合されるコネクタが設けられ、該コネクタは、該基板の上端側に設置されていることを特徴とする請求項１に記載の遊技機。
【請求項３】
前記基板は、前記収容空間の底部より下側に該基板の下端が位置するよう、前記ケーシングに固定されることを特徴とする請求項１または２に記載の遊技機。
【発明の詳細な説明】
【技術分野】
【０００１】
本発明は、遊技盤を自立させるための支持機構を有する遊技機に関する。
【背景技術】
【０００２】
遊技機は、略矩形状に組まれた四辺によって囲繞空間が形成される外枠と、この外枠にヒンジ機構によって開閉自在に取り付けられた中枠と、この中枠に、ヒンジ機構によって開閉自在に取り付けられた前枠とを備えている。中枠は、外枠と同様に、略矩形状に組まれた四辺によって囲繞空間が形成されており、この囲繞空間に遊技盤が保持されている。
【０００３】
遊技盤は、遊技盤を生産する工場での出荷作業時や遊技店での遊技盤の入れ替え作業時に、一時的に床や地面等に置くために自立させる要望がある。遊技盤は単体では自立できないため、遊技盤の自立を補助するための自立装置を有する遊技盤が開示されている（例えば、特許文献１）。
【先行技術文献】
【特許文献】
【０００４】
【特許文献１】特開２００４‐１６６７８０号公報
【発明の概要】
【発明が解決しようとする課題】
【０００５】
しかし、遊技盤の背面には、遊技に必要な部品が多数固定されるため、特許文献１に記載の自立装置を遊技盤の背面に固定すると、本来遊技に必要な部品を固定するための遊技盤の背面の面積が減少してしまう。
【０００６】
本発明は、専用の自立装置を設けることなく遊技盤を自立可能とすることで、遊技盤の自立と、部品を固定する面積の確保とを両立することができる遊技機の提供を目的とする。
【課題を解決するための手段】
【０００７】
上記課題を解決するために、本発明の遊技機は、遊技盤と、前記遊技盤の背面下部に固定され、該遊技盤の背面に固定された部品を収容する収容空間を区画形成するとともに、該遊技盤から離隔した位置に基板を保持するケーシングと、を備え、前記ケーシングは、前記基板を保持するとともに、前記遊技盤の背面に固定された状態で前記収容空間を隔てて該遊技盤の背面に対向配置される基板保持面と、前記基板保持面から立設されるとともに、前記遊技盤の背面まで延在する底面部と、
を有し、前記ケーシングの底面部に、前記遊技盤を自立させるための支持機構が設けられていることを特徴とする。
【０００８】
また、前記基板には、外部と該基板との間で信号を送受信するケーブルが嵌合されるコネクタが設けられ、該コネクタは、該基板の上端側に設置されるとしてもよい。
【０００９】
また、前記基板は、前記収容空間の底部より下側に該基板の下端が位置するよう、前記ケーシングに固定されるとしてもよい。
【発明の効果】
【００１０】
本発明は、専用の自立装置を設けることなく遊技盤を自立可能とすることで、遊技盤の自立と、部品を固定する面積の確保とを両立することができる。
【図面の簡単な説明】
【００１１】
【図１】扉が開放された状態を示す遊技機の斜視図である。
【図２】遊技盤ユニットを説明するための図である。
【図３】ケーシングを説明するための図である。
【図４】基板ケースを説明するための図である。
【図５】接地面に自立した状態の遊技盤ユニットの側面図である。
【発明を実施するための形態】
【００１２】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１３】
図１は、本実施形態の遊技機１の斜視図であり、扉が開放された状態を示している。図示のように、遊技機１は、略矩形状に組まれた四辺によって囲繞空間が形成される外枠３と、この外枠３にヒンジ機構によって開閉自在に取り付けられた中枠５と、この中枠５に、ヒンジ機構によって開閉自在に取り付けられた前枠７と、を備えている。
【００１４】
中枠５は、外枠３と同様に、略矩形状に組まれた四辺によって囲繞空間が形成されており、この囲繞空間に遊技盤ユニットＵが保持されている。また、前枠７には、ガラス製または樹脂製の透過板９が保持されている。そして、これら中枠５および前枠７を外枠３に対して閉じると、遊技盤ユニットＵと透過板９とが所定の間隔を維持して略平行に対面するとともに、遊技機１の正面側から、透過板９を介して遊技盤ユニットＵが視認可能となる。
【００１５】
詳しい説明は省略するが、遊技盤ユニットＵの前面には、不図示の釘や風車が設けられており、遊技盤ユニットＵと透過板９との間隔によって形成される遊技領域を、遊技球が不規則に転動、流下する。また、遊技盤ユニットＵの前面には、複数の入賞口が設けられており、これらの入賞口に遊技球が入球すると、前枠７の前面に設けられた上皿に、賞球として遊技球が払い出されることとなる。
【００１６】
図２は遊技盤ユニットＵを説明するための図であり、図２（ａ）は遊技盤ユニットＵの正面を示した斜視図、図２（ｂ）は遊技盤ユニットＵにおける遊技盤１００と後板２００の背面において、ケーシング３００と基板４００とが取り付けられる位置を示した斜視図である。なお、以下では図２に示すｘ方向を遊技盤ユニットＵの幅方向とし、ｙ方向を遊技盤ユニットＵの高さ方向とし、ｚ方向を遊技盤ユニットＵの厚さ方向として説明する。図２（ａ）、図２（ｂ）に示すように、遊技盤ユニットＵは、遊技盤１００、後板２００、ケーシング３００、基板４００を含んで構成される。
【００１７】
遊技盤ユニットＵは、遊技盤１００、後板２００、ケーシング３００、基板４００を備えて構成されており、遊技盤１００は、遊技盤ユニットＵのうち最も前側に位置し、遊技球が通過するレールや釘、風車等が正面に設けられる。後板２００は、遊技盤１００の背面に固定され、遊技盤１００の背面から離隔して対向配置された背面部２１０ａと、背面部２１０ａから垂直に起立した隔壁部２１０ｂ、２１０ｃ、２１０ｄ、２１０ｅとを備えている。隔壁部２１０ｂ、２１０ｃは、遊技盤ユニットＵの幅方向に対向しており、隔壁部２１０ｄ、２１０ｅは、遊技盤ユニットＵの高さ方向に対向している。隔壁部２１０ｅは後板２００の下端よりも遊技盤ユニットＵの高さ方向の上方に位置しており、後板２００における背面の最下端部に、ケーシング３００を介して基板４００が取り付けられている。
【００１８】
図３はケーシング３００を説明するための図であり、図３（ａ）はケーシング３００の背面を示す斜視図、図３（ｂ）はケーシング３００の正面の斜視図である。なお、以下では図３に示すｘ方向をケーシング３００の幅方向とし、ｙ方向をケーシング３００の高さ方向とし、ｚ方向をケーシング３００の厚さ方向として説明する。図２に示すようにケーシング３００を後板２００に取り付けた状態では、ケーシング３００の幅方向と遊技盤ユニットＵの幅方向、ケーシング３００の高さ方向と遊技盤ユニットＵの高さ方向、ケーシング３００の厚さ方向と遊技盤ユニットＵの厚さ方向とが一致する。
【００１９】
ケーシング３００は、基板保持面３２０ａ、側面部３２０ｂ、３２０ｃ、底面部３２０ｄを含んで構成される。基板保持面３２０ａは、ケーシング３００が後板２００の背面に取り付けられた状態で、後板２００の背面部２１０ａ（図２参照）と対向配置される面である。側面部３２０ｂ、３２０ｃは、基板保持面３２０ａの幅方向両端の側縁から立設されて、ケーシング３００の側面を形成する。底面部３２０ｄは、基板保持面３２０ａの下端から立設されて、側面部３２０ｂ、３２０ｃと連続してケーシング３００の底面を形成する。
【００２０】
図２（ｂ）に示すように、ケーシング３００は、後板２００の背面下部に、ネジによって取り付けられる。ケーシング３００が後板２００に取り付けられると、基板保持面３２０ａは後板２００の背面部２１０ａの下部を覆い、側面部３２０ｂは後板２００の隔壁部２１０ｂの下部を覆い、側面部３２０ｃは後板２００の隔壁部２１０ｃの下部を覆い、底面部３２０ｄは後板２００の隔壁部２１０ｅを覆う。これにより、後板２００とケーシング３００とによって遊技盤ユニットＵの背面下部に収容空間３３０が区画形成される（図２（ａ）参照）。後板２００の背面のうち、収容空間３３０が位置する部分には、不図示の制御基板をはじめとする、遊技に必要な種々の部品や装置が固定される。したがって、ケーシング３００は、こうした制御基板や、制御基板に接続されるハーネス等の部品を収容空間３３０内に収容して保護する機能を有していると言える。
【００２１】
図３に戻って説明すると、ケーシング３００の基板保持面３２０ａは、基板４００を保持するための構造として、基板保持隔壁３４０ａ、３４０ｂ、切欠き３５０ａ、３５０ｂ、３５０ｃ、３５０ｄ、突起部３６０を備える。基板保持隔壁３４０ａは、基板保持面３２０ａにおけるケーシング３００の上端側の側縁から、ケーシング３００の厚さ方向に垂直に起立した隔壁である。基板保持隔壁３４０ｂは、基板保持面３２０ａにおけるケーシング３００の下端側の側縁に設けられたＬ型の隔壁である。切欠き３５０ａ、３５０ｂは、基板保持隔壁３４０ａに設けられた溝である。また、切欠き３５０ｃ、３５０ｄは、基板保持隔壁３４０ｂに設けられた孔である。突起部３６０は三角柱状の突起で、基板保持面３２０ａの側面部３２０ｂ側に形成されている。
【００２２】
遊技機１には、遊技の進行を制御する主制御基板、演出を制御する副制御基板、賞球の払出を制御する払出制御基板等の制御基板が多数設けられる。また、遊技機１には、不図示の演出用の照明装置や役物装置等が多数設けられており、特に役物装置として、演出の進行に伴って可動する可動役物装置を設けた場合には、可動役物装置と干渉しないように、各種の部品を取り付けなければならない。仮に、可動役物装置を、遊技盤１００の高さ方向中央部分に設けた場合には、制御基板を遊技盤１００の高さ方向下部側に設けなければならないが、こうした制御基板の設置面積には限りがある。そこで、本実施形態では、後板２００に制御基板を固定するとともに、ケーシング３００の基板保持面３２０ａにも別の制御基板を保持させ、遊技盤１００の背面側において、複数の制御基板が遊技盤１００の厚さ方向に積層して保持されるようにしている。制御基板は基板ケース４１０に格納され、基板４００としてケーシング３００の基板保持面３２０ａに取り付けられる。
【００２３】
図４は、基板ケース４１０を説明するための図であり、図４（ａ）は基板ケース４１０の正面を示した斜視図、図４（ｂ）は基板ケース４１０の背面を示した斜視図である。なお、以下では、図４に示すｘ方向を基板ケース４１０の幅方向とし、ｙ方向を基板ケース４１０の高さ方向とし、ｚ方向を基板ケース４１０の厚さ方向として説明する。図２に示すように、基板ケース４１０を、ケーシング３００を介して後板２００に取り付けた状態では、基板ケース４１０の幅方向と遊技盤ユニットＵの幅方向、基板ケース４１０の高さ方向と遊技盤ユニットＵの高さ方向、基板ケース４１０の厚さ方向と遊技盤ユニットＵの厚さ方向とが一致する。基板ケース４１０は、遊技盤ユニットＵに固定されるベース体４２０と、このベース体４２０に取り付けられるカバー部材４３０とを備えている。
【００２４】
図４（ａ）に示すように、ベース体４２０は、矩形状の平面部４２０ａと、この平面部４２０ａの側縁から垂直に起立する３つの隔壁部４２０ｂ、４２０ｃ、４２０ｄとを備えている。隔壁部４２０ｂ、４２０ｃは、基板ケース４１０の高さ方向に平行に対向しており、隔壁部４２０ｄは、隔壁部４２０ｂ、４２０ｃにおける基板ケース４１０の幅方向の一端部に連続している。したがって、ベース体４２０は、隔壁部４２０ｂ、４２０ｃ、４２０ｄによって四辺のうちの三辺が囲繞されており、基板ケース４１０の幅方向の他端側、すなわち、隔壁部４２０ｄに対向する開口部４２０ｅが外部に開口することとなる。
【００２５】
図４（ｂ）に示すように、ベース体４２０には、基板４００をケーシング３００に取り付けるための固定部４２２ａ、４２２ｂが設けられている。詳細に説明すると、ベース体４２０の平面部４２０ａの背面側に、固定部４２２ａが形成されている（本実施形態では２個）。また、ベース体４２０の隔壁部４２０ｂには、固定部４２２ｂが形成されている（本実施形態では２個）。
【００２６】
また、図４（ａ）に示すように、カバー部材４３０は、外形が矩形状の平面部４３０ａと、この平面部４３０ａから基板ケース４１０の厚さ方向に垂直に起立する隔壁部４３０ｂ、４３０ｃ、４３０ｄ、４３０ｅと、これら隔壁部４３０ｂ、４３０ｃ、４３０ｄ、４３０ｅの起立方向の端部に連続し、平面部４３０ａと平行な面である収容面４３０ｆとを備えている。平面部４３０ａおよび収容面４３０ｆの合計面積は、ベース体４２０の平面部４２０ａの面積よりも僅かに小さく形成されており、ベース体４２０の隔壁部４２０ｂ、４２０ｃ、４２０ｄに囲繞された空間内に収容可能な寸法関係を維持している。
【００２７】
隔壁部４３０ｂ、４３０ｃは、基板ケース４１０の高さ方向に対向しており、隔壁部４３０ｄ、４３０ｅは、基板ケース４１０の幅方向に対向している。これら隔壁部４３０ｂ、４３０ｃ、４３０ｄ、４３０ｅと、収容面４３０ｆとによって、カバー部材４３０には、内部に制御基板を収容可能な収容空間４４０が形成されている。この収容空間４４０におけるｘｙ断面の面積は、カバー部材４３０全体のｘｙ断面の面積よりも小さく形成されており、平面部４３０ａには、収容空間４４０の外部に接続端子を露出させたコネクタ４３２が設けられている。
【００２８】
基板ケース４１０におけるベース体４２０の隔壁部４２０ｂに形成された２個の固定部４２２ｂが、ケーシング３００の基板保持隔壁３４０ａに設けられた切欠き３５０ａ、３５０ｂと嵌合し、基板ケース４１０におけるベース体４２０の平面部４２０ａに形成された２個の固定部４２２ａが、ケーシング３００の基板保持隔壁３４０ｂに設けられた切欠き３５０ｃ、３５０ｄと嵌合して、ケーシング３００の高さ方向における基板４００の位置が固定される。固定部４２２ａ、４２２ｂと切欠き３５０ａ、３５０ｂ、３５０ｃ、３５０ｄとが嵌合した状態で、基板４００がＸ軸負方向にスライドされて基板４００におけるベース体４２０の隔壁部４２０ｄが基板保持面３２０ａの突起部３６０と当接することで、ケーシング３００の幅方向における基板４００の位置が固定される。その結果、基板４００はケーシング３００の基板保持面３２０ａに保持される。これにより、遊技盤１００の背面には、複数の制御基板が遊技盤１００の厚さ方向に積層して保持されることとなる。
【００２９】
ここで、上記の遊技盤ユニットＵは、工場での製造工程や、遊技店での設置工程において、配線作業を行う場合等、作業効率の観点から自立させたいという要望がある。この点、遊技盤ユニットＵを自立させるための専用部品を取り付けることも考えられるが、上記のように、遊技盤ユニットＵの背面には多数の部品、装置が取り付けられているため、自立させるための専用部品を設けるのは難しい。そこで、本実施形態の遊技機１においては、遊技盤ユニットＵを自立させるための支持機構３７０をケーシング３００に設けることにより、遊技盤ユニットＵの自立と、部品等の取り付け面積の確保とを両立する。以下に、ケーシング３００に設けられた支持機構３７０について説明する。
【００３０】
図３に示すように、ケーシング３００の底面部３２０ｄには、遊技盤ユニットＵが自立するための支持機構３７０が設けられている。支持機構３７０は、基板保持隔壁３４０ｂ、底面隔壁３７２、リブ３７４を含んで構成される。底面隔壁３７２は、底面部３２０ｄの遊技盤ユニットＵ側（ケーシング３００の前面側）の側縁から起立し、ケーシング３００の幅方向に延在する隔壁である。リブ３７４はケーシング３００の厚さ方向に延在する隔壁であり、基板保持隔壁３４０ｂと、底面部３２０ｄと、底面隔壁３７２とを接続する。本実施形態では４個のリブ３７４が設けられている。
【００３１】
図５は接地面５００に自立した状態の遊技盤ユニットＵの側面図である。図５に示すように、遊技盤ユニットＵを自立させた状態では、遊技盤１００の底面と、後板２００の下端とが接地面５００に接触するとともに、ケーシング３００の底面部３２０ｄに設けられた基板保持隔壁３４０ｂが接地面５００に接触する。このとき、ケーシング３００の底面部３２０ｄには、遊技盤ユニットＵの自重が作用するが、リブ３７４によってケーシング３００の剛性が確保されており、遊技盤ユニットＵは、支持機構３７０によって安定的に自立することとなる。このように、支持機構３７０をケーシング３００の底面部３２０ｄに設けることで、遊技盤ユニットＵの背面に自立用の専用部品を設ける必要がなくなり、よって、遊技盤ユニットＵの背面に部品を固定する面積を確保しつつ遊技盤ユニットＵを自立させることができる。
【００３２】
なお、図４に示すように、ケーシング３００に保持される基板ケース４１０にはコネクタ４３２が設けられているが、このコネクタ４３２には、制御基板との間で通信を行うためのケーブルが嵌合される。上記したように、遊技盤ユニットＵには、基板ケース４１０をはじめとする多数の部品、装置が設けられるため、これら各部品、装置の設置面積を確保すべく、ケーシング３００は遊技盤ユニットＵの最下端に位置している。そのため、ケーシング３００に保持される基板ケース４１０も、遊技盤ユニットＵの最下端に位置することとなる。
【００３３】
したがって、仮に、コネクタ４３２が基板ケース４１０の下端側に設けられていると、遊技盤ユニットＵを自立させた際に、コネクタ４３２に嵌合されたケーブルが接地面５００に接触し、遊技盤ユニットＵの自重がケーブルに作用してケーブルを破損させるおそれがある。さらに、コネクタ４３２に嵌合されたケーブルが接地面５００に接触すると、遊技盤ユニットＵが不安定となり、遊技盤ユニットＵが倒れてしまうおそれもある。そこで、本実施形態では、コネクタ４３２を基板ケース４１０の上端側に設け、遊技盤ユニットＵが自立した状態で、コネクタ４３２に嵌合されたケーブルが、接地面５００に接触しないようにしている。これにより、遊技盤ユニットＵを自立させた際に、ケーブルが破損したり、遊技盤ユニットＵが倒れてしまったりするおそれがない。
【００３４】
また、図５に示すように、基板保持面３２０ａに保持された基板ケース４１０の下端は、収容空間３３０の底面（ケーシング３００の底面部３２０ｄ）より下側に位置している。このように、基板ケース４１０が遊技盤ユニットＵの背面のうち極めて下部位置に設けられることとなり、遊技盤ユニットＵの上側の面積が広く確保されることとなる。したがって、上述のように、遊技盤ユニットＵの背面上部に、演出用の画像を表示する画像表示装置や、演出用の可動役物装置等を設ける際の設計自由度を高めることができる。
【００３５】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００３６】
上述した実施形態において、ケーシング３００の底面部３２０ｄに設けられた基板保持隔壁３４０ｂを接地面５００に接触させることで、遊技盤ユニットＵを自立させることとした。しかしながら、例えば、リブ３７４や底面隔壁３７２が接地面５００に接触することとしてもよい。さらには、底面部３２０ｄを平面とし、この平面状の底面部３２０ｄが接地面５００に面接触することで、遊技盤ユニットＵを自立させる構造としてもよい。いずれにしても、遊技盤１００の背面下部に固定され、遊技盤１００の背面に固定された部品を収容する収容空間３３０を区画形成するとともに、遊技盤１００から離隔した位置に基板４００を保持するケーシング３００を設け、このケーシング３００の底面部３２０ｄに、遊技盤１００を自立させるための支持機構３７０が設けられていれば、支持機構３７０の具体的な形状や構成は上記実施形態に限定されるものではない。
【００３７】
また、上記実施形態では、遊技盤１００の背面に後板２００が設けられ、この後板２００の背面下部にケーシング３００を設けることとした。つまり、遊技盤１００の背面には、後板２００を介して種々の部品やケーシング３００が設けられることとした。しかしながら、後板２００は必須の構成ではなく、種々の部品やケーシング３００は、遊技盤１００の背面に直接固定してもよい。
【符号の説明】
【００３８】
１００  …遊技盤
３００  …ケーシング
３２０ａ  …基板保持面
３２０ｄ  …底面部
３３０  …収容空間
３７０  …支持機構
４００  …基板
４３２  …コネクタ
【図１】
2014223226.tif 000003
【図２】
2014223226.tif 000004
【図３】
2014223226.tif 000005
【図４】
2014223226.tif 000006
【図５】
2014223226.tif 000007